(57)【要約】【課題】本発明は、光学結像分野に関し、光学レンズおよび光学レンズユニットを提供する。【解決手段】光学レンズは、中央位置にある光学部と、前記光学部を周回する周辺部とを含み、前記周辺部は、物体側を向く物体側面と、像側を向く像側面と、前記物体側面と前記像側面とを接続し且つ光軸を周回する側表面とを含み、前記側表面は、ゲート部と、前記光学レンズの径方向において前記ゲート部に正対して設けられる遠位端部とを含み、前記光学レンズは、前記像側面から像側に向かって延在する支持部をさらに含み、光軸に垂直な平面において、前記支持部の正投影が前記ゲート部の正投影と前記遠位端部の正投影との間に位置する。本発明は、このような光学レンズを有する光学レンズユニットをさらに提供する。本発明に提供される光学レンズおよび光学レンズユニットは、組立安定性が高いという利点を有する。【選択図】図１
2020021064.tif 000002
【特許請求の範囲】
【請求項１】
中央位置にある光学部と、前記光学部を周回する周辺部とを含む光学レンズにおいて、前記周辺部は、物体側を向く物体側面と、像側を向く像側面と、前記物体側面と前記像側面とを接続し且つ光軸を周回する側表面とを含み、前記側表面は、ゲート部と、前記光学レンズの径方向において前記ゲート部に正対して設けられる遠位端部とを含む光学レンズであって、
前記光学レンズは、前記像側面から像側に向かって延在する支持部をさらに含み、光軸に垂直な平面において、前記支持部の正投影が前記ゲート部の正投影と前記遠位端部の正投影との間に位置する、ことを特徴とする光学レンズ。
【請求項２】
前記支持部は、前記像側面から離間する端面と、前記端面から前記像側面まで延在する側壁とを含み、
前記側壁は、前記光軸に隣接する第１面と、前記第１面に対向して設けられる第２面と、前記第１面と前記第２面とを接続する第３面とを含む、ことを特徴とする請求項１に記載の光学レンズ。
【請求項３】
前記第１面および前記第２面は、いずれも前記光軸を囲む弧面である、ことを特徴とする請求項２に記載の光学レンズ。
【請求項４】
前記第３面は、弧面である、ことを特徴とする請求項３に記載の光学レンズ。
【請求項５】
前記支持部の数は、複数であり、複数の前記支持部は、前記光軸の周りに等間隔で設けられている、ことを特徴とする請求項１に記載の光学レンズ。
【請求項６】
各前記支持部の大きさおよび形状は、いずれも同じである、ことを特徴とする請求項５に記載の光学レンズ。
【請求項７】
前記支持部の数は、２つである、ことを特徴とする請求項６に記載の光学レンズ。
【請求項８】
光学レンズユニットであって、
前記光学レンズユニットは、請求項１〜７のいずれか１項に記載の光学レンズを含む、ことを特徴とする光学レンズユニット。
【発明の詳細な説明】
【技術分野】
【０００１】
本発明は、光学結像分野に関し、特に光学レンズおよび光学レンズユニットに関する。
【背景技術】
【０００２】
科学技術の継続的な発展に伴い、電子機器が常にインテリジェント化へ進展しており、ユーザが随時に撮影する需要を満たすために、デジタルカメラに加えて、携帯型電子機器、例えばタブレットパソコン、携帯電話などにも撮像機能を有するレンズモジュールが配置されている。従来技術におけるレンズモジュールは、鏡筒と、前記鏡筒内に設けられた順に重ねて設けられた複数のレンズとを含む。
【発明の概要】
【発明が解決しようとする課題】
【０００３】
本発明の発明者は、従来技術において少なくとも以下の問題が存在すると見出した。即ち、光学レンズの成形中において、ゲート反対側は、最後に成形されたものであり、ゲート反対側の成形が不足しており、ゲート近傍で過度に成形されるという状況が発生することがあるため、ゲートとゲート反対側との位置でのレンズ表面が高低不均一になる現象をもたらし、さらに光学レンズの支持不均一が発生してしまい、光学レンズの組立安定性が高くない。したがって、上記問題を解決するために、新型のレンズモジュールを提供する必要がある。
【０００４】
本発明は、組立安定性が高い光学レンズおよび光学レンズユニットを提供することを目的とする。
【課題を解決するための手段】
【０００５】
上記技術問題を解決するために、本発明の実施形態は、光学レンズを提供し、当該光学レンズは、中央位置にある光学部と、前記光学部を周回する周辺部とを含み、前記周辺部は、物体側を向く物体側面と、像側を向く像側面と、前記物体側面と前記像側面とを接続し且つ光軸を周回する側表面とを含み、前記側表面は、ゲート部と、前記光学レンズの径方向において前記ゲート部に正対して設けられる遠位端部とを含み、前記光学レンズは、前記像側面から像側に向かって延在する支持部をさらに含み、光軸に垂直な平面において、前記支持部の正投影が前記ゲート部の正投影と前記遠位端部の正投影との間に位置する。
【０００６】
本発明の実施形態は、上記したような光学レンズを含む光学レンズユニットをさらに提供する。
【０００７】
本発明の実施形態は、従来技術に対して、前記光学レンズは、像側面から像側に向かって延在する支持部をさらに含み、光軸に垂直な平面において、前記支持部の正投影は、前記ゲート部の正投影と前記遠位端部の正投影との間に位置する。このような構造によれば、光学レンズの成形中に、前記支持部と前記ゲート部との距離が比較的に近く、成形後に支持部と前記ゲート部との間に距離が近いので、前記支持部の表面の高低差が小さくなる。組立時に、光学レンズは、高さの差が大きい前記ゲート部および前記遠位端部を介して互いに当接することでなく、前記支持部を介して互いに当接するので、「遠位端部の成形が不足しており、ゲート部が過度に成形されることによる隣り合う２つの光学レンズ間の支持不均一」という問題を効果的に回避することができ、光学レンズの組立安定性が高くなり、さらに光学レンズユニットの組立歩留まりを向上させ、この光学レンズを有する光学レンズユニットの光学性能を確保することができる。
【０００８】
また、前記支持部は、前記像側面から離間する端面と、前記端面から前記像側面まで延在する側壁とを含み、前記側壁は、前記光軸に隣接する第１面と、前記第１面に対向して設けられる第２面と、前記第１面と前記第２面とを接続する第３面とを含む。
【０００９】
また、前記第１面および前記第２面は、いずれも前記光軸を囲む弧面である。光学レンズの内周縁および外周縁も円状面であるため、このように設けることによって、支持部と像側面との接触面積を大きくして、即ち、支持部をより大きく設けることができ、２つのレンズが互いに当接するときに、より大きな面積を有する支持部によって、光学レンズの組立安定性をより向上させることができる。
【００１０】
また、前記第３面は、弧面である。
【００１１】
また、前記支持部の数は、複数であり、複数の前記支持部は、前記光軸の周りに等間隔で設けられている。
【００１２】
また、各前記支持部の大きさおよび形状は、いずれも同じである。
【００１３】
また、前記支持部の数は、２つである。
【図面の簡単な説明】
【００１４】
【図１】本発明の第１実施形態に係る光学レンズの平面図である。
【図２】本発明の第１実施形態に係る光学レンズの側面図である。
【図３】本発明の第２実施形態に係る光学レンズユニットの断面図である。
【発明を実施するための形態】
【００１５】
以下、本発明の目的、技術案及び利点をより明瞭にするために、図面を参照しながら、本発明の各実施形態をより詳しく説明する。ただし、本発明の各実施形態において、読者が本発明をよりよく理解するために多くの技術の詳細が提出されるが、これらの技術の詳細と下記各実施形態に基づく種々の変更及び修正がなくても、本発明の特許請求の範囲において請求される技術案を実現し得ることは、当業者に理解されるべきである。
【００１６】
本発明の第１実施形態は、光学レンズ１００に関し、図１、図２に示す通りである。
【００１７】
光学レンズ１００は、中央位置にある光学部１と、光学部１を周回する周辺部２とを含み、周辺部２は、物体側を向く物体側面２１と、像側を向く像側面２２と、物体側面２１と像側面２２を接続し且つ光軸ＯＯ´を周回する側表面２３とを含み、側表面２３は、ゲート部２３１と、光学レンズ１００の径方向において（図１にＸ方向）ゲート部２３１に正対して設けられる遠位端部２３２とを含み、光学レンズ１００は、像側面２２から像側に向かって延在する支持部２４をさらに含み、光軸ＯＯ´に垂直な平面において、支持部２４の正投影は、ゲート部２３１の正投影と遠位端部２３２の正投影との間に位置する。
【００１８】
本発明の実施形態は、従来技術に対して、光学レンズ１００は、像側面２２から像側に向かって延在する支持部２４をさらに含み、光軸ＯＯ´に垂直な平面において、支持部２４の正投影は、ゲート部２３１の正投影と遠位端部２３２の正投影との間に位置する。このような構造によれば、光学レンズ１００の成形中に、支持部２４とゲート部２３１との距離が比較的に近く、成形後に支持部２４とゲート部２３１との距離が近いので、支持部２４の表面の高低差が小さくなる。組立時に、光学レンズ１００は、高さの差が大きいゲート部２３１および遠位端部２３２を介して互いに当接することでなく、支持部２４を介して互いに当接するので、「遠位端部２３２の成形が不足しており、ゲート部２３１が過度に成形されることによる隣り合う２つの光学レンズ１００間の支持不均一」という問題を効果的に回避することができ、光学レンズ１００の組立安定性が高くなり、さらに光学レンズユニットの組立歩留まりを向上させ、このような光学レンズを有する光学レンズユニットの光学性能を確保することができる。
【００１９】
具体的には、支持部２４は、像側面２２から離間する端面２４１と、端面２４１から像側面２２まで延在する側壁２４２とを含み、側壁２４２は、光軸ＯＯ´に隣接する第１面２４２１と、第１面２４２１と対向して設けられる第２面２４２２と、第１面２４２１と第２面２４２２とを接続する第３面２４２３とを含む。
【００２０】
本実施形態では、第１面２４２１および第２面２４２２は、いずれも光軸ＯＯ´を囲む弧面であることは、理解され得る。光学レンズ１００の内周縁および外周縁も円状面であるため、このように設けることによって、支持部２４と像側面２２との接触面積を大きくして、即ち、支持部２４をより大きく設けることができ、２つのレンズが互いに当接するときに、より大きな面積を有する支持部２４によって、光学レンズ１００の組立安定性をより向上させることができる。
【００２１】
なお、第３面２４２３も、弧面である。
【００２２】
なお、本実施形態では、支持部２４の数は複数であり、複数の支持部２４は、光軸ＯＯ´の周りに等間隔で設けられている。このような構造を有する光学レンズ１００によれば、ゲート部２３１の一端から離間する支持部２４の高さが低くても、ゲート部に近接する支持部２４の高さがほぼ均一となり、成形後の支持部２４の高低不均一による影響がさらに低減される。
【００２３】
好ましくは、支持部２４の数は２つであり、２つの支持部２４は、光軸ＯＯ´の周りに等間隔で設けられ、かつ、２つの支持部２４は、大きさおよび形状がいずれも同じである。理解されるように、このように設けることによって、遠位端部２３２での支持部の設置がさらに回避され、支持部２４の各位置がいずれもゲート部２３１に近くなるように、２つの支持部２４の正投影が、ゲート部２３１の正投影と遠位端部２３２の正投影との間に位置し、かつ、ゲート部２３１と遠位端部２３２とから離間するので、成形後の支持部２４は、ゲート部２３１から遠い位置にあることによる高低不均一の現象が生じることがなく、光学レンズの組立安定性をさらに向上させる。
【００２４】
本発明の第２実施形態は、光学レンズユニット２００に関し、図３に示すように、光学レンズユニット２００は、上述した光学レンズ１００を含み、光学レンズ１００を収容する鏡筒２０をさらに含む。
【００２５】
上述した各実施形態は、本発明を実現するための具体的な実施例であり、当業者にとって、実際の応用では、本発明の趣旨を逸脱しない範囲で形式や詳細を各種の改良を行うことが可能であると理解されるべきである。
【図１】
2020021064.tif 000003
【図２】
2020021064.tif 000004
【図３】
2020021064.tif 000005